(57)【要約】【課題】  移動局１００が移動中に通話をすることによる不具合を防ぐ。【解決手段】  移動局１００への電話の呼び出しを制御する呼出制御装置２００であって、移動局１００の移動速度を取得する移動速度取得部２５０と、移動速度が基準速度以上である場合に、移動局１００への通話の要求があっても移動局１００への呼び出しを行わない呼出制御部２６０とを備える。呼出制御部２６０は、移動速度が基準速度以上である場合に、移動局１００が移動中である旨を、移動局に前記通話を要求した発呼電話機４０へ通知する。【選択図】  図１
2005064875.tif 000002
【特許請求の範囲】
【請求項１】
移動局への電話の呼び出しを制御する呼出制御装置であって、
前記移動局の移動速度を取得する移動速度取得部と、
前記移動速度が基準速度以上である場合に、前記移動局への通話の要求があっても前記移動局への呼び出しを行わない呼出制御部と
を備える呼出制御装置。
【請求項２】
ＧＰＳ衛星から発信された信号に基づいて特定された前記移動局の位置情報を、順次取得して格納する位置情報格納部をさらに備え、
前記移動速度取得部は、前記位置情報格納部に格納された前記位置情報に基づき、前記移動局の前記移動速度を取得する請求項１に記載の呼出制御装置。
【請求項３】
前記移動局と通信する基地局を示す基地局情報を順次取得して格納する基地局情報格納部をさらに備え、
前記移動速度取得部は、前記基地局情報格納部に格納された前記基地局情報に基づき、前記移動局の前記移動速度を取得する請求項１に記載の呼出制御装置。
【請求項４】
前記呼出制御部は、前記移動速度が前記基準速度以上である場合に、前記移動局への前記通話の要求を他の電話機へ転送する請求項１に記載の呼出制御装置。
【請求項５】
前記呼出制御部は、前記移動速度が前記基準速度以上である場合に、前記移動局が移動中である旨を、前記移動局に前記通話を要求した発呼電話機へ通知する請求項１に記載の呼出制御装置。
【請求項６】
前記移動局に通知していない前記通話の要求を前記発呼電話機の情報に対応付けて格納する着信履歴格納部をさらに備え、
前記呼出制御部は、前記移動局の前記移動速度が前記基準速度以下となった場合に、前記着信履歴格納部に格納された前記発呼電話機の情報に基づき、前記移動局と通話が可能である旨を前記発呼電話機へ通知する請求項５に記載の呼出制御装置。
【請求項７】
前記移動局に通知していない前記通話の要求を前記発呼電話機の情報に対応付けて格納する着信履歴格納部をさらに備え、
前記呼出制御部は、前記移動局の前記移動速度が前記基準速度以下となった場合に、前記着信履歴格納部に格納された前記通話の要求の履歴を前記発呼電話機の情報と共に前記移動局へ通知する請求項１に記載の呼出制御装置。
【請求項８】
前記移動局が移動すべき予定行先を格納する予定行先格納部と、
前記移動局が移動している場合に、前記移動局が移動中である旨を前記予定行き先格納部に格納された前記予定行先と共に表示する行先表示部と
をさらに備える請求項１に記載の呼出制御装置。
【請求項９】
前記移動速度取得部は、前記移動局が移動している移動方向を取得し、
前記行先表示部は、前記移動局の前記移動方向が前記予定行先格納部に格納された前記予定行先の方向と一致する場合に、前記移動中である旨を前記予定行先と共に表示する請求項８に記載の呼出制御装置。
【請求項１０】
前記呼出制御部は、前記移動局の前記移動方向が前記予定行先格納部に格納された前記予定行先の方向と一致しない場合に、前記移動局へ警告を通知する請求項８に記載の呼出制御装置。
【請求項１１】
前記移動速度取得部は、前記移動局が移動を開始した移動開始時刻を取得し、
前記行先表示部は、前記移動開始時刻を前記移動中である旨と共に表示する請求項８に記載の呼出制御装置。
【請求項１２】
移動局への電話の呼び出しを制御する呼出制御方法であって、
前記移動局の移動速度を取得し、
前記移動速度が基準速度以上である場合に、前記移動局への通話の要求があっても前記移動局への呼び出しを行わない、
呼出制御方法。
【請求項１３】
移動局への電話の呼び出しを制御するコンピュータのプログラムであって、コンピュータに
前記移動局の移動速度を取得する移動速度取得機能、および
前記移動速度が基準速度以上である場合に、前記移動局への通話の要求があっても前記移動局への呼び出しを行わない呼出制御機能
を実現させるプログラム。
【発明の詳細な説明】
【技術分野】
【０００１】
本発明は、呼出制御装置、呼出制御方法およびプログラムに関する。特に、本発明は、移動局への電話の呼び出しを制御するおよびプログラムに関する。
【背景技術】
【０００２】
会社の従業員等に携帯される電話の移動局が、会社等の構内にある場合に限らず構外にある場合にも、電話の呼出をすることができる呼出制御装置が知られている。例えば、特許文献１における呼出制御装置は、移動局の位置を格納し、移動局が内線番号で呼び出すことができる構内にある場合には内線番号で呼び出し、その外にある場合には外線番号で移動局を呼び出す。
【特許文献１】特開平９−８４０９１（第１図）
【発明の開示】
【発明が解決しようとする課題】
【０００３】
上記呼出制御装置は、移動局の位置が構外である場合、例えば従業員が外出している場合に、従業員が自動車または電車等で移動中であってもこの従業員が携帯する移動局を呼び出す。しかしながら、移動局が移動中においては通話が途切れがちである。また、電車内にあっては通話が周囲の迷惑になりやすく、自動車運転中にあっては通話が運転の集中力を低下させるという課題があった。
【課題を解決するための手段】
【０００４】
上記課題を解決するために、本発明の第１の形態によると、移動局への電話の呼び出しを制御する呼出制御装置であって、移動局の移動速度を取得する移動速度取得部と、移動速度が基準速度以上である場合に、移動局への通話の要求があっても移動局への呼び出しを行わない呼出制御部とを備える。これにより、通話が途切れがちであり、また、周囲の迷惑になりやすい移動中の通話を中止することができる。
【０００５】
上記呼出制御装置は、ＧＰＳ衛星から発信された信号に基づいて特定された移動局の位置情報を、順次取得して格納する位置情報格納部をさらに備え、移動速度取得部は、位置情報格納部に格納された位置情報に基づき、移動局の移動速度を取得してもよい。また、上記呼出制御装置は、移動局と通信する基地局を示す基地局情報を順次取得して格納する基地局情報格納部をさらに備え、移動速度取得部は、基地局情報格納部に格納された基地局情報に基づき、移動局の移動速度を取得してもよい。これらにより、既存の移動局に新たな機能を追加することなく、移動局への呼び出しを行うか否かを判断することができる。
【０００６】
上記呼出制御装置において、呼出制御部は、移動速度が基準速度以上である場合に、移動局への通話の要求を他の電話機へ転送してもよい。これにより、移動局に対して呼び出しを行わない場合に、他の電話機を用いて発呼者に対して電話の応対をすることができる。
【０００７】
上記呼出制御装置において、呼出制御部は、移動速度が基準速度以上である場合に、移動局が移動中である旨を移動局に通話を要求した発呼電話機へ通知してもよい。これにより、移動局が移動中であるために通話ができないことを発呼者へ知らせることができる。
【０００８】
上記呼出制御装置は、移動局に通知していない通話の要求を発呼電話機の情報に対応付けて格納する着信履歴格納部をさらに備え、呼出制御部は、移動局の移動速度が基準速度以下となった場合に、着信履歴格納部に格納された発呼電話機の情報に基づき、移動局と通話が可能である旨を発呼電話機へ通知してもよい。これにより、移動中であるために通話ができなかった発呼者に対して、移動局との通話が可能になったことを知らせることができ、発呼者側は再度、通話の要求をする等の対処をすることができる。
【０００９】
上記呼出制御装置は、移動局に通知していない通話の要求を発呼電話機の情報に対応付けて格納する着信履歴格納部をさらに備え、呼出制御部は、移動局の移動速度が基準速度以下となった場合に、着信履歴格納部に格納された通話の要求の履歴を発呼電話機の情報と共に移動局へ通知してもよい。これにより、移動中であるために呼び出しを行わなかった電話を移動局へ知らせることができ、移動局側は、移動終了後に電話をかけ直す等の対処をすることができる。
【００１０】
上記呼出制御装置は、移動局が移動すべき予定行先を格納する予定行先格納部と、移動局が移動している場合に、移動局が移動中である旨を予定行き先格納部に格納された予定行先と共に表示する行先表示部とをさらに備えてもよい。これにより、移動局を使用している使用者以外の者に、移動局が移動中であることを知らせることができる。
【００１１】
上記呼出制御装置において、移動速度取得部は、移動局が移動している移動方向を取得し、行先表示部は、移動局の移動方向が予定行先格納部に格納された予定行先の方向と一致する場合に、移動中である旨を予定行先と共に表示してもよい。これにより、移動局を使用している使用者以外の者に、移動局が予定通りに予定行先に向かって移動中であることを知らせることができる。
【００１２】
上記呼出制御装置において、呼出制御部は、移動局の移動方向が予定行先格納部に格納された予定行先の方向と一致しない場合に、移動局へ警告を通知してもよい。これにより、予定行先と異なる方向へ移動している場合に、予定行先へ移動すべきことを移動局の使用者に知らせることができる。
【００１３】
上記呼出制御装置において、移動速度取得部は、移動局が移動を開始した移動開始時刻を取得し、行先表示部は、移動開始時刻を移動中である旨と共に表示してもよい。これにより、移動局が予定行先に到着するまでの時間を移動局の使用者以外の者が予想することができる。
【００１４】
本発明の第２の形態によると、移動局への電話の呼び出しを制御する呼出制御方法であって、移動局の移動速度を取得し、移動速度が基準速度以上である場合に、移動局への通話の要求があっても移動局への呼び出しを行わない。これにより、第１の形態と同様の効果を得ることができる。
【００１５】
本発明の第３の形態によると、移動局への電話の呼び出しを制御するコンピュータのプログラムであって、コンピュータに、移動局の移動速度を取得する移動速度取得機能、および移動速度が基準速度以上である場合に、移動局への通話の要求があっても移動局への呼び出しを行わない呼出制御機能を実現させる。これにより、第１の形態と同様の効果を得ることができる。
【００１６】
なお、上記の発明の概要は、本発明の必要な特徴の全てを列挙したものではなく、これらの特徴群のサブコンビネーションもまた、発明となりうる。
【発明を実施するための最良の形態】
【００１７】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１８】
図１は、本発明の実施形態による呼出制御システム１０の全体構成図である。呼出制御システム１０は、使用者２０と共に移動する移動局１００と、移動局１００と通信可能な呼出制御装置２００と、呼出制御装置２００と通信可能な電話機６０とを備える。図１において、使用者２０が移動する移動手段の一例として自動車３０が示されている。呼出制御システム１０には、電話網５０を介して呼出制御装置２００と通話可能な発呼電話機４０が接続される。移動局１００の一例は、使用者２０に携帯される携帯電話機である。呼出制御装置２００の一例は、ＰＢＸ（Private Branch Exchange：私設電話交換機）である。なお、電話機６０は、本発明における他の電話機の一例である。
【００１９】
移動局１００は、使用者２０を識別する識別情報と共に移動局１００の位置を特定する位置情報を、所定時間毎、例えば５分毎に発信する。識別情報の一例は、移動局１００の電話番号である。移動局１００は、本実施形態においてＧＰＳ衛星１２０から発信される信号により移動局１００の現在位置の緯度および経度を特定し、これら緯度および経度を位置情報として呼出制御装置２００に送信する。
【００２０】
図２は、呼出制御装置２００の機能構成図である。呼出制御装置２００は、移動局１００へ通話の要求があった場合に、移動局１００からの位置情報に基づき、移動局１００が基準速度以上で移動中でなければ移動局１００を呼び出し、移動局１００が基準速度以上で移動中であれば移動局１００への呼出を行わない。呼出制御装置２００は、移動局１００からの位置情報を移動局１００の識別情報に対応付けて格納する位置履歴格納部２４０と、位置履歴格納部２４０を参照することにより移動局１００の移動速度を取得する移動速度取得部２５０と、外部の発呼電話機４０から移動局１００への呼び出しを制御する呼出制御部２６０と、使用者２０の予定行先を格納する予定行先格納部２７０と、移動局１００への着信の履歴を格納する着信履歴格納部２８０と、使用者２０の予定行先をスクリーン２０４に投射して表示する行先表示部２３０とを備える。
【００２１】
位置履歴格納部２４０は、移動局１００の位置情報を移動局１００から順次取得して、この位置情報および受信した時刻を移動局１００の識別情報に対応付けて格納する。位置履歴格納部２４０はさらに、移動速度取得部２５０により算出された移動局１００の移動速度、および、移動局１００が移動を開始したと判断された場合に、移動局１００が移動を開始した移動開始時刻を移動局１００の識別情報に対応付けて格納する。
【００２２】
移動速度取得部２５０は、位置履歴格納部２４０に格納された移動局１００の位置情報の履歴を参照することにより、移動局１００の移動速度を取得する。例えば、移動速度取得部２５０は、位置履歴格納部２４０に格納された緯度及び経度の履歴から移動距離を算出し、さらに、それぞれの時刻から移動時間を算出することにより、移動局１００の移動速度を算出する。移動速度取得部２５０は、算出した移動速度を、移動局１００の識別情報および位置情報に対応付けて位置履歴格納部２４０に格納する。これにより、既存の移動局１００に新たな機能を追加しなくても、移動局１００の移動速度を算出することができる。
【００２３】
呼出制御部２６０は、外部の発呼電話機４０から移動局１００へ通話の要求があった場合に、位置履歴格納部２４０に格納された移動局１００の移動速度を参照し、移動局１００が基準速度以上で移動中でなければ移動局１００を呼び出し、移動局１００が基準速度以上で移動中であれば移動局１００への呼出を行わない。これにより、通話が途切れがちであり、また、周囲の迷惑になりやすい移動中の通話を中止することができる。この基準速度は、移動局１００への呼び出しを中止する目的に応じて設定され、呼出制御部２６０に格納されている。例えば、電話の転送を中止する目的が使用者２０の自動車運転に支障をきたすことを防ぐこと、または、電車による移動中に使用者２０が通話することにより周囲に迷惑をかけることを防ぐことである場合には、自動車または電車による移動と徒歩による移動とを区別するために、上記所定速度は、徒歩による平均の移動速度と自動車または電車による平均の移動速度の間の値、一例として時速２０ｋｍに設定される。
【００２４】
着信履歴格納部２８０は、呼出制御部２６０が移動局１００に通知しない発呼電話機４０からの通話の要求の情報を、呼出制御部２６０から受け取り、発呼電話機４０の情報に対応付けて格納する。本実施形態において、着信履歴格納部２８０は、発呼電話機４０の情報の一例として発呼電話機４０の電話番号を移動局１００の識別情報である電話番号に対応付けて格納する。
【００２５】
予定行先格納部２７０は、使用者２０が移動すべき予定行先を使用者２０が到着すべき時刻に対応付けて格納する。図２に示す実施形態において、予定行先格納部２７０は、予定行先の名称並びに予定行先の緯度および経度を使用者２０および使用者２０が予定行先に到着すべき時刻に対応付けて格納する。
【００２６】
行先表示部２３０は、予定行先格納部２７０に格納された使用者２０の予定行先をスクリーン２０４に投射して表示する。さらに、行先表示部２３０は、移動局１００の移動速度が０または０に近いか否かに基づき、移動局１００が移動中であるか否かを判断し、移動中である場合にはその旨を表示する。例えば、移動速度取得部２５０は、移動局１００の移動速度が時速５ｋｍ以下の場合に移動していないと判断し、それ以上の場合に移動中であると判断する。本実施形態において、行先表示部２３０は、移動局１００に対応付けられた使用者２０が移動中である旨をスクリーン２０４に表示する。行先表示部２３０の一例はプロジェクタである。これにより、使用者２０が移動中であることを使用者２０の行先に関心のある人達、例えば、使用者２０と同じ部署の他の従業員や電話を受け付ける電話受付係等が把握することができる。なお、行先表示部２３０は、呼出制御部２６０に格納された基準速度と移動局１００の移動速度とを比較し、移動局１００の移動速度が基準速度以上である場合に移動中であると判断してもよい。
【００２７】
記録媒体８０は、上述の位置履歴格納部２４０、移動速度取得部２５０、呼出制御部２６０、予定行先格納部２７０、着信履歴格納部２８０、および、行先表示部２３０の機能を呼出制御装置２００に実現させるプログラムを格納する。呼出制御装置２００は、これらのプログラムを記録媒体８０から読み取って実行する。呼出制御装置２００は、これらのプログラムをネットワーク経由で取得してもよい。
【００２８】
図３は、位置履歴格納部２４０のデータテーブルを示す。上述のように、位置履歴格納部２４０は、移動局１００の位置情報、位置情報を受信した時刻、移動速度取得部２５０により算出された移動局１００の移動速度、および、移動局１００の移動開始時刻を、移動局１００の識別情報に対応付けて格納する。
【００２９】
図４は、呼出制御システム１０の動作を示すフローチャートである。図４のフローチャートは、呼出制御装置２００の呼出制御装置２００および移動局１００に電源が投入されることにより開始される。まず、移動局１００が送信する位置情報に基づいて、呼出制御装置２００が移動局１００の移動速度を算出する（Ｓ１０）。外部の発呼電話機４０から移動局１００への通話の要求がない場合には（Ｓ２０：Ｎｏ）、ステップＳ１０に戻る。外部の発呼電話機４０から移動局１００へ通話の要求があった場合に（Ｓ２０：Ｙｅｓ）、呼出制御装置２００は、移動局１００への電話の呼び出しを制御する（Ｓ３０）。なお、本実施形態において、図４のフローチャートは移動局１００の電源が投入されている場合に開始されるが、これに限られない。他の例として、移動局１００の主電源が切られている場合でも待機状態を保つ補助電源が投入されており、呼出制御装置２００が所定時間毎に移動局１００へ位置情報を要求するコマンドを送信し、移動局１００の補助電源を用いてコマンドを受信することにより移動局１００が起動して、図４のフローチャートが開始されてもよい。この場合、移動局１００が節電されると共に、使用者２０が移動局１００に主電源を投入することを忘れた場合でも、図４のフローチャートを開始することができる。
【００３０】
図５は、図４のフローチャートにおける移動速度を算出するステップ（Ｓ１０）の動作を示すフローチャートである。まず、移動局１００は、呼出制御装置２００へ所定時間毎に移動局１００の識別情報および位置情報を送信する（Ｓ１００）。図２に示す例において、移動局１００は、５分毎に、位置情報としての緯度および経度と共に移動局１００の識別情報として電話番号「０９０−５３６６−ＸＸＸＸ」を送信する。
【００３１】
呼出制御装置２００の位置履歴格納部２４０は、移動局１００から受信した識別情報および位置情報を、これらの情報を受信した時刻に対応付けて格納する（Ｓ１００）。図２に示す例において、位置履歴格納部２４０は、移動局１００の位置情報として緯度「北緯３５度３９分３１秒」および経度「東経１３９度４４分４３秒」を時刻「９時４０分」に対応付けて格納し、その５分後に移動局１００からさらに送信される緯度「北緯３５度３９分０２秒」および経度「東経１３９度４４分４９秒」を時刻「９時４５分」に対応付けて格納する。なお、移動局１００が位置情報とともに時刻の情報を発信し、位置履歴格納部２４０は移動局１００から受信した位置情報と時刻の情報を対応付けて格納してもよい。
【００３２】
移動速度取得部２５０は、位置履歴格納部２４０に格納された移動局１００の識別情報および位置情報に基づき、移動局１００の移動速度を算出する（Ｓ１１０）。上述の例において、履歴における最新の時刻「９時４５分」に対応付けられた緯度および経度が位置履歴格納部２４０に格納された場合に、位置履歴格納部２４０のこれら時刻、緯度および緯度、並びに、履歴における最新の一つ前における時刻「９時４０分」、緯度および経度に基づいて、移動局１００が５分間に約５ｋｍを移動したことを算出し、これによりこの５分間において時速約６０ｋｍで移動したことを算出する。移動速度取得部２５０は算出した移動速度を位置履歴格納部２４０に格納する。
【００３３】
次に、行先表示部２３０は、移動局１００が移動中であるか否かを判断する（Ｓ１２０）。本実施形態において、行先表示部２３０は、移動局１００の移動速度が基準速度以上である場合に、移動局１００が移動中であると判断する。ステップＳ６０において移動局１００が移動中である場合に（Ｓ１２０：Ｙｅｓ）、行先表示部２３０は、移動局１００が移動中である旨を表示する（Ｓ１３０）。本実施形態において、行先表示部２３０は、位置履歴格納部２４０を参照して移動局１００の移動速度が基準速度以上であるか否かを判断する。移動局１００が移動中と判断した場合に、行先表示部２３０は、当該移動局１００の識別情報から、予定行先格納部２７０を参照して使用者２０の氏名を特定し、特定した使用者２０の氏名と共に、使用者２０が移動中である旨をスクリーン２０４に投射して表示する。図２に示す例において、行先表示部２３０は、移動中であると判断した移動局１００の識別情報が「０９０−５３６６−ＸＸＸＸ」である場合に、予定行先格納部２７０を参照することにより、識別情報「０９０−５３６６−ＸＸＸＸ」の移動局１００を携帯している使用者２０「マツモトタロウ」を特定し、使用者２０「マツモトタロウ」が移動中である旨をスクリーン２０４に投射して表示する。これにより、使用者２０自身や他の従業員の入力を要求することなく、使用者２０が移動中であることを、他の従業員が把握することができる。
【００３４】
ステップＳ１３０の次に、移動速度取得部２５０は、移動局１００を携帯する使用者２０の移動方向を特定し、行先表示部２３０は、この移動方向が予定行先格納部２７０に格納された使用者２０の予定行先と一致するか否かを判断する（Ｓ１４０）。上述の例において、移動速度取得部２５０は、使用者２０が携帯する移動局１００における時刻「９時４５分」の緯度および経度、並びに、時刻「９時４０分」の緯度および経度の差に基づき、使用者２０「マツモトタロウ」がこの５分間に緯度「北緯３５度３９分３１秒」および経度「東経１３９度４４分４３秒」の位置、すなわち東京タワー付近から、北および西の方向にそれぞれ１９秒および６秒の位置、すなわち六本木駅付近へ移動したことを算出し、行先表示部２３０に通知する。行先表示部２３０は、予定行先格納部２７０を参照することにより、使用者２０「マツモトタロウ」の予定行先「Ａ社新宿本社」の緯度および経度を特定し、特定した緯度および経度と、履歴における最新の一つ前における時刻「９時４０分」の緯度および経度との差に基づき、使用者２０が移動すべき方向として北西、すなわち、東京タワー付近からみて新宿の方向が北西であることを算出する。さらに、行先表示部２３０は、使用者２０が移動すべき方向と使用者２０が実際に移動した方向が一致するか否かを判断する。例えば、上述の例において、使用者２０「マツモトタロウ」が移動すべき方向が北西であって、使用者２０が時刻「９時４５分」までに移動した方向が北西である場合に、行先表示部２３０は、使用者２０の移動した方向が予定行先「Ａ社新宿本社」と一致したと判断する。行先表示部２３０は、使用者２０が移動すべき方向を中心として左右４５度の範囲に、使用者２０が実際に移動した方向が入る場合に、予定行先と一致したと判断してもよい。
【００３５】
ステップＳ１４０において移動速度取得部２５０により特定された移動局１００の移動方向が、予定行先格納部２７０に格納された予定行先と一致する場合に（Ｓ１４０：Ｙｅｓ）、行先表示部２３０は、使用者２０が移動中である旨と共に使用者２０の予定行先を表示する（Ｓ１５０）。これにより、使用者２０が予定通りに予定行先に向かっていることを把握することができる。一方、ステップＳ１４０において移動速度取得部２５０により特定された移動局１００の移動方向が、予定行先格納部２７０に格納された予定行先と一致しない場合に（Ｓ１４０：Ｎｏ）、行先表示部２３０は、予定行先と実際に移動した方向とが異なる旨の警告を移動局１００に送信し（Ｓ９０）、警告を受信した移動局１００は、この警告を表示する。これにより、実際に移動した方向が予定行先の方向と異なっている旨を使用者２０に知らせることができる。この場合に、行先表示部２３０は、スクリーン２０４に投射する使用者２０の予定行先を空欄または「警告中」等の表示としてもよい。これにより、使用者２０が予定と異なる移動をしていることを、使用者２０以外の従業員が知ることができる。なお、移動局１００において、警告を受信した場合に、移動局１００の画面に表示することに加えて、または、これに代えて、音声若しくは振動によりこの警告を使用者２０に伝えてもよい。
【００３６】
ステップＳ１２０において移動局１００が移動中でない場合（Ｓ１２０：Ｎｏ）、または、ステップＳ１５０若しくはステップＳ１６０を実行した場合に、本フローチャートを終了する。
【００３７】
図６は、図４のフローチャートにおける、電話の呼び出しを制御するステップ（Ｓ３０）の動作を示すフローチャートである。外部の発呼電話機４０から移動局１００へ通話の要求があった場合に、呼出制御部２６０は、位置履歴格納部２４０を参照することにより、移動局１００の移動速度が基準速度以上であるか否かを判断する（Ｓ３００）。
【００３８】
ステップＳ３００において、移動局１００の移動速度が基準速度以上である場合に（Ｓ３００：Ｙｅｓ）、呼出制御部２６０は、移動局１００への呼び出しを行わない（Ｓ３１０）。上述の例において、移動局１００の移動速度が時速６０ｋｍであって、基準速度が時速２０ｋｍの場合に、呼出制御部２６０は、移動局１００の移動速度が基準速度以上であるとして、発呼電話機４０の通話の要求にもかかわらず、移動局１００への呼び出しを行わない。これにより、移動局１００を携帯する使用者２０の自動車運転に支障をきたすことを防ぎ、また、電車による移動中に使用者２０が通話して周囲に迷惑をかけることを防ぐことができる。さらに、呼出制御部２６０は、移動局１００が移動中である旨を発呼電話機４０へ通知する（Ｓ３２０）。これにより、移動局１００が移動中であるために通話ができないことを発呼電話機４０の発呼者へ知らせることができる。また、呼出制御部２６０は、ステップＳ３２０に代えてまたはこれに加えて、発呼電話機４０から移動局１００への通話の要求を他の電話機６０へ転送してもよい。これにより、移動局１００に対して呼び出しを行わない場合に、他の電話機６０により使用者２０とは別の者が発呼電話機４０からの電話に応対することができる。さらに、呼出制御部２６０は、ステップＳ３１０において移動局１００への呼び出しを行わなかった発呼電話機４０からの通話の要求について着信の履歴を着信履歴格納部２８０に格納する（Ｓ３３０）。
【００３９】
一方、ステップＳ３００において、移動局１００の移動速度が基準速度未満である場合（Ｓ３００：Ｎｏ）、呼出制御部２６０は、移動局１００を呼び出し（Ｓ３７０）、発呼電話機４０との通話が終了するまで待機する（Ｓ３５０：Ｎｏ）。発呼電話機４０との通話が終了した場合に（Ｓ３５０：Ｙｅｓ）、呼出制御部２６０は、着信履歴格納部２８０を参照し、移動局１００の移動中に呼出制御部２６０が呼び出しを中止した移動局１００への着信の履歴を通知する（Ｓ３６０）。本実施形態において、呼出制御部２６０は、着信の履歴として移動局１００に通話を要求した発呼電話機４０の電話番号を通知する。これにより、移動中に使用者２０宛てにかかって来た電話を使用者２０に知らせることができ、使用者２０は、移動終了後に移動局１００から電話をかけ直す等の対処をすることができる。なお、呼出制御部２６０は、着信履歴格納部２８０に格納された着信の履歴を全て通知してもよいし、特定の着信、例えば予め登録された発呼者からの着信、または、予め定められた個数の最新の着信を通知してもよい。
【００４０】
ステップＳ３６０が実行された後、呼出制御部２６０は、着信履歴格納部２８０を参照し、移動局１００が通話可能になった旨を着信履歴格納部２８０に格納されている発呼電話機４０に通知する（Ｓ３７０）。これにより、移動中であるために通話ができなかった発呼電話機４０の発呼者に対して、移動局１００との通話が可能になったことを知らせることができ、発呼者側は再度、通話の要求をする等の対処をすることができる。以上により、本フローチャートの動作が終了する。
【００４１】
図７は、呼出制御システム１０における呼出制御装置２００の行先表示部２３０がスクリーン２０４に投射する表示画面３００の一例を示す。表示画面３００には、使用者２０と、この使用者２０に対応付けて、予定行先、予定行先への移動の現状として「移動中」である旨または「到着」した旨、電話を転送することができるか否か、および移動開始時刻が表示される。これにより、使用者２０以外の者が対象者の予定行先や予定行先への移動の現状を把握することができる。また、行先表示部２３０は、位置履歴格納部２４０に格納された移動開始時刻を表示するので、使用者２０が予定行先に到着するまでの時間を使用者２０以外の者が予想することができる。
【００４２】
以上、本実施形態によれば、使用者２０者自身の入力を要求することなく、使用者２０が移動中であることを使用者２０以外の者も把握することができる。
【００４３】
なお、上記実施形態において、識別情報として移動局１００の電話番号が用いられているが、これに代えて、識別情報として使用者２０に固有に割り当てられた社員ＩＤを用いてもよい。また、上記実施形態において、移動局１００は位置情報として緯度および経度を呼出制御装置２００に送信するが、これに代えて、移動局１００は、位置情報として移動局１００と通信する基地局を特定して、この基地局の情報を呼出制御装置２００に送信してもよい。この場合に、呼出制御装置２００は、基地局の情報、例えば基地局を識別する基地局識別情報に対応付けて基地局の位置を格納する基地局情報格納部を有する。これにより、移動局１００から所定時間毎に順次受信した基地局識別情報に基づいて、基地局情報格納部を参照して基地局間の距離および方向を算出することにより、移動局１００の移動距離および移動方向を算出することができる。
【００４４】
また、呼出制御装置２００の行先表示部２３０は表示画面３００をスクリーン２０４に投射するが、これに代えてまたはこれに加えて呼出制御装置２００は、表示画面３００を使用する各使用者の端末と接続され、これらの端末に表示画面３００を表示してもよい。
【００４５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００４６】
【図１】呼出制御システム１０の全体構成図である。
【図２】呼出制御装置２００の機能構成図である。
【図３】位置履歴格納部２４０のデータテーブルである。
【図４】呼出制御システム１０の動作を示すフローチャートである。
【図５】移動速度を算出するフローチャートである。
【図６】電話の呼び出しを制御するフローチャートである。
【図７】表示画面３００の一例である。
【符号の説明】
【００４７】
１０  呼出制御システム、２０  使用者、３０  自動車、４０  発呼電話機、５０  電話網、６０  電話機、１００  移動局、１２０  ＧＰＳ衛星、２００  呼出制御装置、２０４  スクリーン、２３０  行先表示部、２４０  位置履歴格納部、２５０  移動速度取得部、２６０  呼出制御部、２７０  予定行先格納部、２８０  着信履歴格納部、３００  表示画面
【図１】
2005064875.tif 000003
【図２】
2005064875.tif 000004
【図３】
2005064875.tif 000005
【図４】
2005064875.tif 000006
【図５】
2005064875.tif 000007
【図６】
2005064875.tif 000008
【図７】
2005064875.tif 000009